(57)【要約】      （修正有）【課題】受領されてから短期間の内に廃棄処分されてしまうことがなく、ダイレクトメールの宣伝効果や販売促進効果を十分に得ることができるダイレクトメール用印刷物を提供する。【解決手段】台紙に、型抜き加工線と型抜き加工線によって周囲が確定されるうちわ部を設ける。【選択図】図１
0003179963.tif 000002
【実用新案登録請求の範囲】
【請求項１】
台紙（１）と，前記台紙（１）に設けられた第１の型抜き加工線（２）と，前記第１の型抜き加工線（２）によって周囲が確定されるうちわ部（１０）を有する，
ダイレクトメール用印刷物。
【請求項２】
前記うちわ部（１０）に，広告要素（１１）が印刷されている
請求項１に記載のダイレクトメール用印刷物。
【請求項３】
前記うちわ部（１０）に設けられた第２の型抜き加工線（１２）と，前記第２の型抜き加工線（１２）によって周囲が確定される切取部（２０）を有し，前記第２の型抜き加工線（１２）に沿って，前記切取部（２０）を切り離すことで，前記うちわ部（１０）に持手孔が形成される，
請求項１又は２に記載のダイレクトメール用印刷物。
【請求項４】
前記台紙（１）の縁から，前記第１の型抜き加工線（２）にまで延びる第３の型抜き加工線（２２）をさらに有する，
請求項１から３のいずれか１項に記載のダイレクトメール用印刷物。
【請求項５】
請求項１から４のいずれか１項に記載したダイレクトメール用印刷物（１００）と，前記ダイレクトメール用印刷物（１００）を封入する透明又は半透明の包装体（２００）とを含む，ダイレクトメール用印刷物セット。
【考案の詳細な説明】
【技術分野】
【０００１】
本考案は，イラストや文章といった種々の情報が記載されたダイレクトメール用印刷物に関する。具体的には，本考案は，台紙と，台紙に設けられた型抜き加工線と，型抜き加工線によって周囲が確定されるうちわ部を有するダイレクトメール用印刷物に関する。
【背景技術】
【０００２】
従来から，企業又は個人への情報伝達手段として，企業の商品やサービスに関する情報を記載したダイレクトメール用印刷物が用いられている。ダイレクトメール用印刷物は，顧客である企業又は個人に手軽に送付することができるため，販売促進のために広く利用されている。
【０００３】
特許文献１には，返信用はがき付きダイレクトメール用印刷物が開示されている。返信用はがき付きダイレクトメール用印刷物を受け取った顧客は，返信用はがきの周囲に設けられたミシン目に沿って，返信用はがきを切り取ることによって，返信用はがきを得ることができる。これにより，顧客は，返信用はがきを簡便に返送することができる。
【先行技術文献】
【特許文献】
【０００４】
【特許文献１】実用新案登録第３１３２１０３号公報
【考案の概要】
【考案が解決しようとする課題】
【０００５】
しかしながら，企業又は個人が受け取るダイレクトメールは，受領されてから短期間の内に廃棄処分されてしまうことが多く，ダイレクトメールの宣伝効果や販売促進効果を十分に得ることができないという問題があった。
【０００６】
また，ダイレクトメールの一部を切り取って返信用はがきとした場合，そのはがきは受領者の手元に長期間保管されることはなかった。このため，ダイレクトメールの一部を切り取ることができるようにした場合であっても，十分に宣伝や販売促進を行うことができないという問題があった。
【課題を解決するための手段】
【０００７】
そこで，本考案者は，台紙に，型抜き加工線と型抜き加工線によって周囲が確定されるうちわ部を設けることにより，宣伝効果や販売促進効果の高いダイレクトメール用印刷物を得ることができるという知見を得た。
具体的に，本考案は，以下の構成を有する。
【０００８】
本考案の第１の側面は，台紙１と，台紙１に設けられた第１の型抜き加工線２と，第１の型抜き加工線２によって周囲が確定されるうちわ部１０を有するダイレクトメール用印刷物１００に関する。
【０００９】
上記構成のように，台紙１に第１の型抜き加工線２と，第１の型抜き加工線２によって周囲が確定されるうちわ部１０を設けることによって，ダイレクトメール用印刷物１００の受領者は，台紙１からうちわ部１０を切り取ってうちわ部１０をうちわとして使用することができる。これにより，うちわ部１０は，ダイレクトメールの一部として機能することに加えて，うちわとしても機能する。うちわ部１０がうちわとしても機能することにより，ダイレクトメール用印刷物１００が廃棄処分されるまでの期間を延ばすことができる。
【００１０】
本考案の好ましい形態は，うちわ部１０に，広告要素１１が印刷されている。
【００１１】
上記構成のように，うちわ部１０に，広告要素１１を印刷することによって，宣伝効果や販売促進効果を得ることができる。うちわ部１０がうちわとして使用される場合，うちわ部１０は使用者の目に留りやすい形態で使用される。また，うちわ部１０はうちわとして何度も使用され得るものである。このため，うちわ部１０に，広告要素１１を印刷することによって，長期間に渡って，宣伝効果や販売促進効果を得ることができる。
【００１２】
本考案の好ましい形態は，うちわ部１０に設けられた第２の型抜き加工線１２と，第２の型抜き加工線１２によって周囲が確定される切取部２０を有する。第２の型抜き加工線１２に沿って，切取部２０が切り取られることで，うちわ部１０に持手孔が形成される。
【００１３】
上記構成のように，うちわ部１０に切取部２０を設けることによって，うちわ部１０はうちわとしてより使い勝手の良いものとなる。これにより，うちわ部１０は，長期間に渡って使用され易くなり，より効果的に宣伝や販売促進を行うことができる。
【００１４】
本考案の好ましい形態は，台紙１の縁から，第１の型抜き加工線２に延びる第３の型抜き加工線２２をさらに有する。
【００１５】
上記構成のように，台紙１の縁から，第１の型抜き加工線２に延びる第３の型抜き加工線２２を設けることによって，うちわ部１０をより簡単に切り取ることができる。これにより，うちわ部１０を切り取る際に，意図しない部分が破けたり，皺が生じたりすることを防ぐことができる。
【００１６】
本考案の第２の側面は，ダイレクトメール用印刷物１００と，ダイレクトメール用印刷物１００を封入する透明又は半透明の包装体２００を含むダイレクトメール用印刷物セットに関する。
【００１７】
上記構成のように，ダイレクトメール用印刷物１００と包装体２００を含むダイレクトメール用印刷物セットとすることによって，輸送時にうちわ部１０が台紙１から落下することを効果的に防ぐことができる。さらに，輸送時や配達後にダイレクトメール用印刷物１００に水分が付着することを防ぐことができ，うちわ部１０の品質を保つことができる。
また，ダイレクトメール用印刷物セットとすることによって，ダイレクトメール用印刷物１００の他に，付属の印刷物等を封入することも可能となる。
【考案の効果】
【００１８】
本考案は，台紙１に第１の型抜き加工線２によって周囲が確定されるうちわ部１０を有するダイレクトメール用印刷物１００に関する。ダイレクトメール用印刷物１００の受領者は，台紙１からうちわ部１０を切り取って，うちわ部１０をうちわとして使用することができる。このように，うちわ部１０はうちわとして有効活用され得るため，うちわ部１０がすぐに廃棄処分されることが少なくなる。これにより，長期間に渡って，宣伝効果や販売促進効果を得ることができる。また，うちわ部１０は，使用者の目に留りやすい形態で使用されるため，効果的に情報伝達を行うことができる。
【００１９】
また，本考案は，うちわ部１０を設けることにより，ダイレクトメール用印刷物１００全体が，人の目に触れる可能性を高めることができる。これにより，ダイレクトメール用印刷物１００全体としても高い訴求効果を得ることができる。
【図面の簡単な説明】
【００２０】
【図１】図１は，ダイレクトメール用印刷物の例を示す図である。図１（ａ）は，うちわ部１０を切り取る前のダイレクトメール用印刷物の例を示す図である。図１（ｂ）は，うちわ部１０を切り取った後のうちわ部１０の例を示す図である。
【図２】図２（ａ）〜（ｄ）は，ダイレクトメール用印刷物のある実施形態を示す図である。
【図３】図３（ａ）〜（ｅ）は，ダイレクトメール用印刷物の他の実施形態を示す図である。
【図４】図４は，ダイレクトメール用印刷物の他の実施形態を示す図である。図４（ａ）は，台紙１の左端から，第１の型抜き加工線２に向かって第３の型抜き加工線２２が形成されたダイレクトメール用印刷物の例を示す図である。図４（ｂ）は，台紙１の下端から，第１の型抜き加工線２に向かって第３の型抜き加工線２２が形成されたダイレクトメール用印刷物の例を示す図である。図４（ｃ）は，図４（ａ）の第３の型抜き加工線２２の拡大図を示している。図４（ｄ）は，左端の第３の型抜き加工線２２を切り開いて，うちわ部１０を切り離した様子を示す図である。
【図５】図５（ａ）及び（ｂ）は，ダイレクトメール用印刷物セットの例を示す図である。
【考案を実施するための形態】
【００２１】
本考案は，台紙１と，台紙１に設けられた第１の型抜き加工線２と，第１の型抜き加工線２によって周囲が確定されるうちわ部１０を有するダイレクトメール用印刷物１００に関する。以下，本考案に係るダイレクトメール用印刷物１００について，その好ましい実施形態を図面を参照して説明する。本考案は，以下に説明する形態に限定されるものではなく，以下の形態から当業者が自明な範囲で適宜修正したものも含む。
【００２２】
（１．ダイレクトメール用印刷物の基本構成）
ダイレクトメール用印刷物１００は，企業又は個人へ情報を伝達するための印刷媒体である。ダイレクトメール用印刷物１００は，郵便やメール便などを利用して，企業又は個人へ届けられる。
【００２３】
ダイレクトメール用印刷物１００の形状は，葉書大の大きさのものから，Ａ４サイズの大きさのものまで，多種多様である。ダイレクトメール用印刷物１００の形状は，四角形状のみならず，円形や変形型のものとすることもできる。
ダイレクトメール用印刷物１００は，台紙１枚から構成されても良いし，貼着面を介して２枚の台紙を貼り合わせて構成されても良い。さらに，ダイレクトメール用印刷物１００は，封筒形状のものであっても良く，雑誌は書籍を包装体で梱包した形状としても良い。
本考案に係るダイレクトメール用印刷物１００は，上述したいずれの形態のものにも広く適用可能である。
【００２４】
図１は，ダイレクトメール用印刷物１００の例を示す図である。図１に示されるように，本実施形態のダイレクトメール用印刷物１００は，台紙１と，台紙１に設けられた第１の型抜き加工線２と，第１の型抜き加工線２によって周囲が確定されるうちわ部１０を有する。
うちわ部１０は，第１の型抜き加工線２に沿って切り取ることができ，切り取られたうちわ部１０はうちわとして機能する。
【００２５】
（２．台紙）
台紙１には，企業又は個人に伝達したい情報要素が印刷される。台紙１には，例えば，製品情報，企業情報，ロゴマーク又はキャッチフレーズといったものや，受領者に向けたメッセージや情報を印刷することができる。さらに，台紙１には，メッセージや情報の他に企業のキャラクターなどの図柄を印刷しても良い。
【００２６】
ダイレクトメール用印刷物１００が郵便又はメール便で受領者に届けられる場合，台紙１には，ダイレクトメール用印刷物１００を受領する者の宛名及び住所が記載される。宛名及び住所は，台紙１に直接印刷されても良いし，宛名及び住所が印刷されたラベールシールが貼接されても良い。さらに，台紙１には，切手が貼接されるか，料金の支払い方法を示す印刷が施される。台紙１には，企業又は個人の宛名及び住所の他に，顧客番号や，担当者の氏名，抽選番号等の情報を印刷しても良い。
【００２７】
台紙１は，紙製であることが好ましく，特に，厚紙を用いることが好ましい。厚紙は，型抜き加工線を形成するための十分な厚さと剛性を有する。
また，台紙１には，ポリプロピレン（ＰＰ）又はポリエチレンテレフタレート（ＰＥＴ）といったプラスチック製のものを採用することもできる。この場合も，十分な厚さと剛性を有するものを採用することが好ましい。
【００２８】
（３．第１の型抜き加工線）
台紙１は，第１の型抜き加工線２を有する。第１の型抜き加工線２は，うちわ部１０の周囲を確定するものである。うちわ部１０の周囲に第１の型抜き加工線２を設けることにより，うちわ部１０を容易に台紙１から切り取ることができる。これにより，ダイレクトメール用印刷物１００の受領者は，はさみやカッターといった他の切断手段を用いることなく，安全にうちわ部１０を台紙から切り離すことができる。
【００２９】
第１の型抜き加工線２は，刃型を台紙１の片面又は両面に押し当てることにより形成される。刃型は台紙１を切断しない程度の押圧で押し当てられる。刃型には，例えば，うちわ部１０を切り取ることができるように，スジを付けるスジ刃と，ミシン目を付けるミシン刃がある。刃型として，ミシン刃を用いる場合，等間隔に，型抜き加工溝を付けるように押し当てられることが好ましい。型抜き加工溝は，台紙１を貫通するものであっても良いし，貫通しないものであっても良い。
【００３０】
（４．うちわ部）
うちわ部１０の周囲は，台紙１に設けられた第１の型抜き加工線２によって確定される。うちわ部１０が第１の型抜き加工線２に沿って切り取られることにより，うちわ部１０はうちわとして機能することができる。図１（ａ）は，うちわ部１０が台紙１から切り取られる前の状態を示し，図１（ｂ）は，うちわ部１０が台紙１から切り取られた後の状態を示している。
【００３１】
うちわ部１０が図１（ａ）に示されるようなダイレクトメールとして機能する他に，図１（ｂ）に示されるようなうちわとしても機能することにより，ダイレクトメールの少なくとも一部が破棄されるまでの期間を長くすることができる。これにより，長期間に渡って，情報伝達をすることができ，効果的に宣伝や販売促進を行うことができる。
また，うちわは，使用者の顔の近くに風を送るために使用されることが多い。うちわ部１０をうちわとして機能させることにより，人の目に留る頻度を増やすことができるため，情報の訴求効果を高めることができる。
【００３２】
また，本考案は，うちわ部１０が第１の型抜き加工線２に沿って切り取って用いられることがなくても，ダイレクトメール用印刷物１００全体として，人の注目を集めることができる。本考案においては，第１の型抜き加工線２とうちわ部１０がダイレクトメール用印刷物１００に設けられていることにより，単に紙媒体のみから構成されるダイレクトメール用印刷物よりも，より効果的に人の注意を引くことができる。これにより，人の目に触れる頻度を高めることができ，ダイレクトメール用印刷物１００全体としても高い訴求効果を得ることができる。
【００３３】
図２に示されるように，うちわ部１０は様々な形状とすることができる。図２（ａ）には，扇型のうちわ部１０が示されており，図２（ｂ）には，四角形状のうちわ部１０が示されている。図２（ｃ）及び図２（ｄ）には，楕円形を変形させた円形状のうちわ部１０が示されている。うちわ部１０を，円形状とする以外に扇型や四角形状とすることで，省スペース化でき，台紙１の印刷スペースを有効活用することができる。
【００３４】
さらに，図３に示されるように，うちわ部１０はキャラクターや図柄形状などの様々な形状とすることができる。図３（ａ）には，うちわの形状を模したうちわ部１０が示されており，図３（ｂ）には，クマのキャラクターの形状のうちわ部１０が示されている。また，図３（ｃ）には，星型のうちわ部１０が示されており，図３（ｄ）には，ハート型のうちわ部１０が示されている。さらに，図３（ｅ）には，雲の形状のうちわ部１０が示されている。図３（ａ）〜（ｅ）のような形状とすることにより，子供や女性を楽しませるうちわ部１０を形成することができ，子供を持つ母親や女性に特化した宣伝広告や販売促進を行うことができる。
【００３５】
（５．広告要素）
うちわ部１０には，広告要素１１を印刷することができる。うちわ部１０に印刷表示する広告要素１１としては，例えば，製品情報，企業情報，ロゴマーク，キャッチフレーズ又は図柄があげられる。製品情報には，例えば，製品コンセプト，製品特徴，原材料及び使用方法といったものがあげられる。企業情報には，例えば，企業名，企業理念，企業の電話番号，ＵＲＬ及び二次元バーコードといったものがあげられる。ロゴマークには，例えば，企業のロゴマークや，販売する製品名を示したロゴマークといったものがある。キャッチフレーズには，例えば，スポーツイベントの応援フレーズ，及び子供向けのメッセージがあげられる。図柄には，例えば，企業イメージを表すキャラクターや子供向けのイラストなどがあげられる。うちわ部１０には，使用者に伝達したい多種多様な情報を印刷することができる。
【００３６】
うちわ部１０に，広告要素１１を印刷することによって，十分な宣伝効果や販売促進効果を得ることができる。うちわ部１０を台紙１から切り取ってうちわとして使用する場合，うちわ部は使用者の目に留りやすい形態で使用される。また，うちわ部１０はうちわとして何度も使用され得るものである。このため，長期間に渡って，宣伝効果や販売促進効果を得ることができる。
【００３７】
（６．第２の型抜き加工線）
図１に示すように，うちわ部１０には，さらに，第２の型抜き加工線１２と，第２の型抜き加工線１２によって周囲が確定される切取部２０を設けることができる。第２の型抜き加工線１２に沿って，切取部２０が切り取られることで，うちわ部１０に持手孔が形成される。うちわ部１０をうちわとして使用するときに，使用者は，持手孔に親指などの指を差し込んで使用することができる。持手孔に親指などの指を差し込んでうちわ部１０を使用することにより，うちわ部１０はうちわとして扇ぎ易いものとなり，使い勝手の良いものとなる。また，持手孔を形成することにより，うちわ部１０の持ち運びが便利になり，うちわとして使用される頻度を高めることができる。
【００３８】
切取部２０がうちわ部１０から切り離されることで形成される持手孔の形態は，特に限定されることはないが，人の指が差し込みやすいよう，円形状であることが好ましい。また，持手孔の大きさは，人の親指が差し込める大きさであることが好ましい。持手孔の直径は，２ｃｍ以上８ｃｍ以下であれば良く，３ｃｍ以上５ｃｍ以下であることが好ましい。持手孔の直径が８ｃｍ以上の場合，うちわとして送風する機能に支障をきたす可能性があり好ましくない。また，２ｃｍ以下の場合，人の指を差し込むことができない場合があるため，好ましくない。
【００３９】
（７．第３の型抜き加工線）
図４に示されるように，台紙１には，台紙１の縁から，第１の型抜き加工線２に延びる第３の型抜き加工線２２がさらに形成されても良い。図４（ａ）は，台紙１の左端から，第１の型抜き加工線２に向かって第３の型抜き加工線２２が形成されたダイレクトメール用印刷物１００の例を示す図である。図４（ｂ）は，台紙１の下端から，第１の型抜き加工線２に向かって第３の型抜き加工線２２が形成されたダイレクトメール用印刷物１００の例を示す図である。第３の型抜き加工線２２は，台紙１のいずれか一つの縁から１本設けられることが好ましいが，台紙１の左右の両端から２本以上設けられることとしても良い。
図４（ｃ）は，図４（ａ）の点線で囲んだ部分の拡大図を示している。第３の型抜き加工線２２は，台紙１の左端からから，第１の型抜き加工線２に延びており，第１の型抜き加工線２につながっている。
【００４０】
図４（ｄ）は，左端の第３の型抜き加工線２２を切り開いて，うちわ部１０を切り離した様子を示す図である。台紙１から，うちわ部１０を切り取ろうとする者は，まず，第３の型抜き加工線２２を切り開き，その後，第１の型抜き加工線２に沿って，うちわ部１０を切り取ることができる。
【００４１】
台紙１の縁から，第１の型抜き加工線２に延びる第３の型抜き加工線２２を設けることによって，うちわ部１０をより簡単に切り取ることができる。これにより，うちわ部１０を切り取る際に，意図しない部分が破けたり，皺が生じたりすることを防ぐことができる。
【００４２】
（８．ダイレクトメール用印刷物セット）
図５（ａ）に示されるように，ダイレクトメール用印刷物１００は，ダイレクトメール用印刷物１００を封入する透明又は半透明の包装体２００とセットにして，ダイレクトメール用印刷物セットとしても良い。包装体２００は，ダイレクトメール用印刷物１００を封入できる形態であれば，特に制限されることはなく，単にダイレクトメール用印刷物１００を差し込むだけの袋状のビニール包装体としても良いし，封筒の形態としても良い。
【００４３】
包装体２００は，その外部からダイレクトメール用印刷物１００を視認できるよう光透過性を有するものであることが好ましい。また，包装体２００は，耐水性を有することが好ましい。このため，包装体２００は，ポリプロピレン（ＰＰ）又はポリエチレンテレフタレート（ＰＥＴ）といったプラスチック製の合成樹脂から形成されることが好ましい。
【００４４】
図５（ｂ）に示されるように，包装体２００が半透明である場合，包装体２００は透明フィルム窓２０１を有することが好ましい。この場合，透明フィルム窓２０１は，ダイレクトメール用印刷物１００を包装体２００に収容した際に，受領者の宛名及び住所が記載されている部分及びうちわ部１０に対応する箇所に設けられることが好ましい。また，透明フィルム窓２０１は，送り主の名称及び住所が記載されている部分に対応する箇所にも設けられることが好ましい。これにより，包装体２００の外部から受領者及び送り主の名称及び住所を鮮明に視認することができる。また，うちわ部１０に対応する箇所にも透明フィルム窓２０１が設けられることにより，ダイレクトメール用印刷物セットとしても宣伝効果や販売促進効果を得ることができる。
【００４５】
ダイレクトメール用印刷物１００と包装体２００とを含む，ダイレクトメール用印刷物セットとすることによって，輸送時にうちわ部１０が台紙１から落下することを効果的に防ぐことができる。さらに，輸送時や配達後にダイレクトメール用印刷物１００に水分が付着することを防ぐことができ，うちわ部１０の品質を保つことができる。
また，ダイレクトメール用印刷物セットとすることによって，ダイレクトメール用印刷物１００の他に，付属の印刷物等を封入することが可能となる。これにより，ダイレクトメール用印刷物セットは，情報伝達媒体として，多種多様な形態とすることができる。
【符号の説明】
【００４６】
１      台紙
２      第１の型抜き加工線
１０    うちわ部
１１    広告要素
１２    第２の型抜き加工線
２０    切取部
２２    第３の型抜き加工線
１００  ダイレクトメール用印刷物
２００  包装体
２０１  透明フィルム窓
【図１】
0003179963.tif 000003
【図２】
0003179963.tif 000004
【図３】
0003179963.tif 000005
【図４】
0003179963.tif 000006
【図５】
0003179963.tif 000007
【手続補正書】
【提出日】平成24年4月24日(2012.4.24)
【手続補正１】
【補正対象書類名】図面
【補正対象項目名】図１
【補正方法】変更
【補正の内容】
【図１】
0003179963.tif 000008
【手続補正２】
【補正対象書類名】図面
【補正対象項目名】図４
【補正方法】変更
【補正の内容】
【図４】
0003179963.tif 000009
【手続補正３】
【補正対象書類名】図面
【補正対象項目名】図５
【補正方法】変更
【補正の内容】
【図５】
0003179963.tif 000010